(57)【要約】【課題】冷蔵温度帯と冷凍温度帯に切り替えることができ、しかも各温度帯に適した冷却を行うことが可能な冷蔵庫を提供する。【解決手段】冷蔵庫本体１０は、上段切替室６０が冷凍温度帯に設定されたときに開くダンパ部材１２０と、下段切替室７０が冷凍温度帯に設定されたときに開くダンパ部材１３０と、上段切替室６０が冷蔵温度帯に設定されたときに開くダンパ部１４１と、下段切替室７０が冷蔵温度帯に設定されたときに開くダンパ部１４２と、を備える。また、冷蔵庫本体１０は、ダンパ部材１２０，１３０から導入された冷気を収納容器６１，６２，７１，７２の内側に供給する吐出口６３ａ，６３ｂ，７３ａ，７３ｂと、ダンパ部１４１，１４２から導入された冷気を収納容器６１，６２，７１，７２の外側に供給する吐出口６３ｃ，７３ｃと、を備える。【選択図】図１２
2020051653.tif 000002
【特許請求の範囲】
【請求項１】
冷蔵温度帯から冷凍温度帯まで切り替えられる切替室を複数有し、
前記複数の切替室は、それぞれ、前記冷蔵温度帯に設定された場合に間接冷却とし、前記冷凍温度帯に設定された場合に直接冷却としたことを特徴とする冷蔵庫。
【請求項２】
冷蔵温度帯から冷凍温度帯まで切り替えられる複数の切替室を有する冷蔵庫本体を備え、
前記冷蔵庫本体は、前記冷凍温度帯に設定されたときに開く冷凍温度帯用ダンパと、前記冷蔵温度帯に設定されたときに開く冷蔵温度帯用ダンパと、前記冷凍温度帯用ダンパから導入された冷気を収納容器の内側に供給する冷凍温度帯用吐出口と、前記冷蔵温度帯用ダンパから導入された冷気を収納容器の外側に供給する冷蔵温度帯用吐出口と、を備えることを特徴とする冷蔵庫。
【請求項３】
前記冷蔵温度帯用吐出口は、前記冷蔵庫本体の内箱の壁面に向けて形成されていることを特徴とする請求項２に記載の冷蔵庫。
【請求項４】
前記冷凍温度帯用ダンパは、背面が開放した弁箱と、前記弁箱の前面に形成された開口と、前記開口を背面側から開閉する羽根部材と、を備え、
前記弁箱は、後方に向けて下るように傾斜して配置されていることを特徴とする請求項２または請求項３に記載の冷蔵庫。
【請求項５】
前記冷蔵庫本体は、上方に冷凍温度帯の貯蔵室が配置された上段切替室と、前記上段切替室の下方に配置される下段切替室と、を備えたことを特徴とする請求項２から請求項４のいずれか１項に記載の冷蔵庫。
【請求項６】
前記冷蔵温度帯用ダンパは、前記上段切替室に冷気を導入する際に開く上段切替室用ダンパと、前記下段切替室に冷気を導入する際に開く下段切替室用ダンパと、前記上段切替室用ダンパと前記下段切替室用ダンパを独立して開閉する駆動部と、を備え、
前記冷蔵温度帯用ダンパは、前記駆動部を挟んで上部に前記上段切替室用ダンパを配置し、下部に前記下段切替室用ダンパを配置したことを特徴とする請求項５に記載の冷蔵庫。
【請求項７】
前記駆動部は、外面に電気的に接続される雌コネクタ部を備え、雌コネクタ部は、鉛直方向下向きに形成されていることを特徴とする請求項６に記載の冷蔵庫。
【請求項８】
前記冷蔵庫本体は、前記上段切替室および前記下段切替室のそれぞれに冷気を導入する送風ファンを備え、
前記送風ファンは、遠心ファンであることを特徴とする請求項５から請求項７のいずれか１項に記載の冷蔵庫。
【請求項９】
前記冷蔵庫本体は、前記上段切替室および前記下段切替室の背面側に背面断熱仕切部材を備え、
前記背面断熱仕切部材は、真空断熱材と、前記真空断熱材を収容する収容パネルと、前記収容パネルを保持する保持パネルと、を備えることを特徴とする請求項８に記載の冷蔵庫。
【請求項１０】
前記送風ファンは、前記保持パネルに固定されていることを特徴とする請求項９に記載の冷蔵庫。
【請求項１１】
前記背面断熱仕切部材は、ヒータを備えることを特徴とする請求項９または請求項１０に記載の冷蔵庫。
【請求項１２】
前記上段切替室の上面および下面に断熱仕切部材を備え、
前記断熱仕切部材は、真空断熱材と、前記真空断熱材を収容するケースと、前記真空断熱材の周囲に設けられ、前記真空断熱材と前記ケースとの隙間を埋めるシール材とを、備えることを特徴とする請求項５から請求項１１のいずれか１項に記載の冷蔵庫。
【請求項１３】
前記断熱仕切部材は、ヒータを備えることを特徴とする請求項１２に記載の冷蔵庫。
【請求項１４】
前記冷蔵庫本体は、前記断熱仕切部材の端部が接するリブを備え、
前記リブ内に充填される硬質発泡ウレタンの先端部が、前記真空断熱材の外周端部よりも内方に位置していることを特徴とする請求項１３に記載の冷蔵庫。
【請求項１５】
前記上段切替室および前記下段切替室は、第１発光部と、前記第１発光部とは異なる色を発する第２発光部と、を備え、
前記冷蔵温度帯に設定された前記上段切替室および／または前記下段切替室が開かれたときに第１発光部が発光し、前記冷凍温度帯に設定された前記上段切替室および／または前記下段切替室が開かれたときに第２発光部が発光することを特徴とする請求項５から請求項１４のいずれか１項に記載の冷蔵庫。
【請求項１６】
前記上段切替室は、上下、左右および前後のそれぞれの面に真空断熱材を備えることを特徴とする請求項５から請求項１５のいずれか１項に記載の冷蔵庫。
【請求項１７】
前記冷蔵温度帯から前記冷凍温度帯を切り替える操作パネルを備え、
前記操作パネルは、庫内に設けられていることを特徴とする請求項１から請求項１６のいずれか１項に記載の冷蔵庫。
【請求項１８】
冷蔵温度帯から冷凍温度帯に切り替えられる切替室と、
前記切替室に収納される収納容器と、を備え、
前記切替室は、冷気が吐出される吐出口を備え、
前記収納容器は、前記冷凍温度帯に設定されたときに前記吐出口からの冷気を当該収納容器の内側に供給する位置となる第１収納位置と、前記冷蔵温度帯に設定されたときに前記吐出口からの冷気を当該収納容器の外側に供給する位置となる第２収納位置と、を備えることを特徴とする冷蔵庫。
【請求項１９】
冷蔵温度帯から冷凍温度帯に切り替えられる切替室と、
前記切替室に収納される収納容器と、を備え、
前記切替室は、冷気が吐出される吐出口を備え、
前記収納容器は、前記冷凍温度帯に設定されたときに前記吐出口からの冷気を当該収納容器の内側に供給するように変形する第１形態と、前記冷蔵温度帯に設定されたときに前記吐出口からの冷気を当該収納容器の外側に供給するように変形する第２形態と、を備えることを特徴とする冷蔵庫。
【請求項２０】
冷蔵温度帯から冷凍温度帯に切り替えられる複数の切替室と、
前記複数の切替室のそれぞれに収納される収納容器と、を備え、
前記複数の切替室は、冷気が吐出される吐出口を備え、
前記収納容器は、前記冷蔵温度帯に設定されたときに前記吐出口からの冷気を当該収納容器の外側に供給する冷蔵温度帯用収納容器と、前記冷凍温度帯に設定されたときに前記吐出口からの冷気を当該収納容器の内側に供給する冷凍温度帯用収納容器と、を備えることを特徴とする冷蔵庫。
【発明の詳細な説明】
【技術分野】
【０００１】
本発明は、冷蔵庫に関する。
【背景技術】
【０００２】
特許文献１には、複数の部屋に区画され、それぞれの部屋で間接冷却および直接冷却する冷蔵庫が記載されている。
【先行技術文献】
【特許文献】
【０００３】
【特許文献１】特開平５−１３３６７０号公報
【発明の概要】
【発明が解決しようとする課題】
【０００４】
しかしながら、前記した特許文献１に記載の冷蔵庫では、それぞれの部屋が冷蔵温度帯にしかならない課題があった。
【０００５】
本発明は、前記した従来の課題を解決するものであり、冷蔵温度帯と冷凍温度帯に切り替えることができ、しかも各温度帯に適した冷却を行うことが可能な冷蔵庫を提供することを目的とする。
【課題を解決するための手段】
【０００６】
本発明は、冷蔵温度帯から冷凍温度帯まで切り替えられる切替室を複数有し、前記複数の切替室は、それぞれ、前記冷蔵温度帯に設定された場合に間接冷却とし、前記冷凍温度帯に設定された場合に直接冷却としたことを特徴とする。
【発明の効果】
【０００７】
本発明によれば、冷蔵温度帯と冷凍温度帯に切り替えることができ、しかも各温度帯に適した冷却を行うことが可能な冷蔵庫を提供できる。
【図面の簡単な説明】
【０００８】
【図１】第１実施形態に係る冷蔵庫を示す外観斜視図である。
【図２】第１実施形態の冷蔵庫の内部を示す縦断面図である。
【図３】冷蔵庫本体の庫内を示す正面図である。
【図４】冷気の流れを説明する図である。
【図５】ファンケーシングを示す概略図である。
【図６】図４のＡ−Ａ線断面図である。
【図７】上段切替室を冷凍温度帯に冷却するダンパ部材を示す斜視図である。
【図８】下段切替室を冷凍温度帯に冷却するダンパ部材を示す斜視図である。
【図９】上段切替室および下段切替室を冷蔵温度帯に冷却するダンパ部材を示す斜視図である。
【図１０】図９のダンパ部材の裏側を示す平面図である。
【図１１】ダンパ部材の配置を示す断面図である。
【図１２】第１実施形態に係る冷蔵庫の全体の冷気の流れを説明する模式図である。
【図１３】（ａ）は、第１実施形態として遠心ファンを備えた冷蔵庫を示す断面図、（ｂ）は比較例としてプロペラファンを備えた冷蔵庫を示す断面図である。
【図１４】断熱仕切部材を示す分解斜視図である。
【図１５】断熱仕切部材の取付状態を示す断面図である。
【図１６】断熱仕切部材の変形例を示す断面図である。
【図１７】背面断熱仕切部材を示す断面図である。
【図１８】切替室のヒータの配置を示す断面図である。
【図１９】背面断熱仕切部材のヒータの配置を示す平面図である。
【図２０】送風ファンおよびファンケーシングのヒータの配置を示す断面図である。
【図２１】送風ファンのヒータの配置の変形例を示す断面図である。
【図２２】温度帯を切り替える操作パネルを示す図である。
【図２３】操作パネルの配置の変形例を示す図である
【図２４】温度帯の確認手段を示す図である。
【図２５】温度帯の報知手段を示す模式図である。
【図２６】第２実施形態の冷蔵庫を示す断面図である。
【図２７】第３実施形態の冷蔵庫を示す断面図である。
【図２８】第４実施形態の冷蔵庫を示す断面図である。
【発明を実施するための形態】
【０００９】
以下、本発明を実施するための形態（本実施形態）を説明する。ただし、本実施形態は、以下の内容に何ら制限されず、本発明の要旨を損なわない範囲内で任意に変更して実施可能である。また、以下では、図１に示す方向を基準として説明する。
【００１０】
（第１実施形態）
図１は、第１実施形態に係る冷蔵庫を示す外観斜視図である。なお、以下では、６ドアの冷蔵庫１を例に挙げて説明するが、５ドア以下、７ドア以上の冷蔵庫に適用することもできる。
図１に示すように、冷蔵庫１は、冷蔵室３０、製氷室４０、冷凍室５０、上段切替室６０（切替室）および下段切替室７０（切替室）を備えた冷蔵庫本体１０を有している。上段切替室６０は、冷蔵温度帯（例えば、１℃〜６℃）から冷凍温度帯（例えば、約−２０℃〜−１８℃）まで温度帯を切り替えることができるようになっている。下段切替室７０も同様に、冷蔵温度帯から冷凍温度帯まで温度帯を切り替えることができるようになっている。冷蔵室３０は、冷蔵温度帯（例えば、６℃）に設定され、製氷室４０および冷凍室５０は、冷凍温度帯（例えば、約−２０℃）に設定される。
【００１１】
また、冷蔵庫１は、冷蔵庫本体１０の正面に、冷蔵室３０を開閉する冷蔵室扉２，３と、製氷室４０を開閉する製氷室扉４と、冷凍室５０を開閉する冷凍室扉５と、上段切替室６０を開閉する上段切替室扉６と、下段切替室７０を開閉する下段切替室扉７と、を備えている。
【００１２】
冷蔵室扉２，３は観音開き可能に構成されている。製氷室扉４、冷凍室扉５、上段切替室扉６、および下段切替室扉７は、手前方向に引き出し可能に構成されている。冷蔵室扉２，３、製氷室扉４、冷凍室扉５、上段切替室扉６および下段切替室扉７は、断熱扉である。
【００１３】
図２は、第１実施形態の冷蔵庫の内部を示す縦断面図である。
図２に示すように、冷蔵庫本体１０は、内箱１１と外箱１２とを組み合わせたものであり、その間に発泡断熱材や真空断熱材が挟まれ、断熱箱体を構成している。発泡断熱材は、硬質ウレタンフォームで形成されている。この硬質ウレタンフォームは、ウレタンフォーム原液（発泡断熱材の原料液）を発泡させた後、硬化させて形成されるものである。ちなみに、ウレタンフォーム原液としては、例えば、ポリエーテルポリオールに、シクロペンタン、水などの発泡剤、さらには触媒、整泡剤などの助剤をプレミックスした液と、イソシアネート液とを混合した液体が挙げられる。
【００１４】
外箱１２は、薄い鋼板を門型に折り曲げて形成された天板１ａおよび左右の側板１ｂ，１ｃ（図１参照）と、別部材で構成された背板１ｄと、別部材で構成された底板１ｅと、によって構成されている。天板１ａには、後部に窪み部が設けられ、この窪み部に制御基板１３が設けられている。制御基板１３は、冷蔵庫１を統括的に制御するものである。
【００１５】
天板１ａ、背板１ｄの内壁面には、真空断熱材Ｖ１，Ｖ２が設けられている。内箱１１の底面側には、真空断熱材Ｖ３が設けられている。左右の側板１ｂ，１ｃ（図１参照）の内壁面には、真空断熱材Ｖ７，Ｖ８（図３参照）が設けられている。
【００１６】
冷蔵室扉２，３には、真空断熱材Ｖ４が設けられている。上段切替室扉６には、真空断熱材Ｖ５が設けられている。下段切替室扉７には、真空断熱材Ｖ６が設けられている。
【００１７】
また、冷蔵庫本体１０は、冷蔵室３０と、製氷室４０および冷凍室５０とを上下に断熱区画する断熱仕切部材１５を備えている。また、冷蔵庫本体１０は、製氷室４０および冷凍室５０と上段切替室６０とを断熱区画する断熱仕切部材１６を備えている。また、冷蔵庫本体１０は、上段切替室６０と下段切替室７０とを断熱区画する断熱仕切部材１７を備えている。また、断熱仕切部材１６，１７には、それぞれ真空断熱材Ｖ９，Ｖ１０が設けられている。
【００１８】
冷蔵庫１は、製氷室４０、冷凍室５０、上段切替室６０および下段切替室７０の各室を所定の温度に冷却するために、上段切替室６０および下段切替室７０の背面側に、冷却器８０Ａ（ＥＶＰ：エバポレータ）が設けられている。この冷却器８０Ａは、圧縮機８１と、凝縮器（不図示）、キャピラリーチューブ（不図示）とによって、冷凍サイクルを構成している。冷却器８０Ａの上方には、この冷却器８０Ａにて冷却された冷気を製氷室４０、冷凍室５０、上段切替室６０および下段切替室７０の各室に循環させて所定の温度に保持する送風ファン９０が配設されている。
【００１９】
また、冷却器８０Ａは、製氷室４０、冷凍室５０、上段切替室６０および下段切替室７０の背面側と内箱１１との間に設けられた冷却器収納空間１００に配置されている。この冷却器収納空間１００は、機械室Ｑに設けられた圧縮機８１の直上から送風ファン９０の高さ位置まで延びている。
【００２０】
冷却器収納空間１００には、冷却器８０Ａの下方に、除霜ヒータ８２が設けられている。除霜ヒータ８２によって除霜時に発生したドレン水は、樋（とい）８３に一旦落下し、ドレン孔（不図示）を介して圧縮機８１の上部に設けた蒸発皿（不図示）に溜められる。
【００２１】
冷却器８０Ａによって冷却された空気（冷気）は、製氷室４０および冷凍室５０に、ダンパ部材を介さずに直接に供給される。上段切替室６０には、直接冷却用のダンパ部材１２０、後記する間接冷却用のダンパ部材１４０のダンパ部１４１（図４参照）を介して冷気が供給される。下段切替室７０には、後記する、直接冷却用のダンパ部材１３０（図４参照）、間接冷却用のダンパ部材１４０のダンパ部１４２（図４参照）を介して冷気が供給される。なお、直接冷却とは、収納された食品に冷気を直接に供給して冷却する方式である。また、間接冷却とは、食品の乾燥を抑えるために、収納された食品に冷気が直接に当たらないように供給して冷却する方式である。
【００２２】
また、冷蔵庫１は、冷蔵室３０を所定の温度に冷却するために、冷蔵室３０の背側の下部に、冷却器８０Ｂが設けられている。この冷却器８０Ｂは、圧縮機８１と、凝縮器（不図示）、キャピラリチューブ（不図示）とによって、冷凍サイクルを構成している。また、冷却器８０Ｂの上方には、この冷却器８０Ｂにて冷却された冷気を冷蔵室３０に循環させて所定の温度に保持する送風ファン（不図示）が設けられている。
【００２３】
また、上段切替室６０には、例えば、上段収納容器６１と下段収納容器６２が上下に配置されている。また、下段切替室７０には、例えば、上段収納容器７１と下段収納容器７２が上下に配置されている。なお、各収納容器６１，６２，７１，７２の個数は、本実施形態に限定されるものではなく、適宜変更することができ、それぞれ１段にしてもよく、３段以上にしてもよい。
【００２４】
図３は、冷蔵庫本体の庫内を示す正面図である。なお、図３は、冷蔵庫１から各扉２〜７および収納容器などを取り除いた状態を概略的に示している。
図３に示すように、冷蔵庫本体１０は、上段切替室６０および下段切替室７０の庫内背面を構成する背面断熱仕切部材６５を備えている。背面断熱仕切部材６５の下端は、機械室Ｑ（図２参照）の内側への出っ張りより上側に位置している。
【００２５】
背面断熱仕切部材６５には、上段切替室６０に対応する位置にケース部材１１２，１１３が設けられ、下段切替室７０に対応する位置にケース部材１１４，１１５が設けられている。
【００２６】
ケース部材１１２には、上段切替室６０が冷凍温度帯に設定されたときに冷気が吐出される複数の吐出口６３ａ，６３ｂが形成されているとともに、その内部空間には送風ファン９０（図２参照）から送風された冷気の送風路となっている。吐出口６３ａは、上段切替室６０の上部中央寄りに左右に離間して配置されている。吐出口６３ｂは、吐出口６３ａの下方に左右に離間して配置されている。
【００２７】
吐出口６３ａは、上段収納容器６１（図２参照）内に冷気を直接に供給できる位置に形成されている。また、吐出口６３ｂは、下段収納容器６２（図２参照）内に冷気を直接に供給できる位置に形成されている。
【００２８】
また、ケース部材１１２の後方投影上に真空断熱材Ｖ１１（図２参照）の少なくとも一部が存している。これにより、真空断熱材Ｖ１１の面積を大きくして高い断熱性能を確保できるとともに、ケース部材１１２の内部の送風路の広さを確保することができるため通風抵抗の減少を抑制できる。
【００２９】
真空断熱材Ｖ１〜Ｖ１１は、その材質は特に限定されないが、一例を挙げると、多孔質構造のグラスウール等の芯材をラミネートフィルムで真空パックして内部を減圧して封止した断熱材から成る。気体熱伝導率が略ゼロであるため、優れた断熱性能を有している。
【００３０】
ケース部材１１３は、上段切替室６０が冷蔵温度帯に設定されたときに冷気が吐出される吐出口６３ｃが形成されている。この吐出口６３ｃは、吐出口６３ａ，６３ｂの側方（図３の左側方）に位置している。また、吐出口６３ｃは、破線矢印で示すように、左側面の内箱１１に向けて冷気が吐出されるように構成されている。これにより、上段収納容器６１（図２参照）の外側および下段収納容器６２（図２参照）の外側を冷気が通るように（食品を間接的に冷却するように）なっている。
【００３１】
ケース部材１１４は、下段切替室７０が冷凍温度帯に設定されたときに冷気が吐出される複数の吐出口７３ａ，７３ｂが形成されている。吐出口７３ａは、下段切替室７０の上部に左右に離間して配置されている。吐出口７３ｂは、吐出口７３ａの下方に左右に離間して配置されている。
【００３２】
吐出口７３ａは、上段収納容器７１（図２参照）内に冷気を直接に供給できる位置に形成されている。また、吐出口７３ｂは、下段収納容器７２（図２参照）内に冷気を直接に供給できる位置に形成されている。
【００３３】
ケース部材１１５は、下段切替室７０が冷蔵温度帯に設定されたときに冷気が吐出される吐出口７３ｃが形成されている。この吐出口７３ｃは、吐出口７３ａの側方（図３の左側方）に位置している。また、吐出口７３ｃは、破線矢印で示すように、左側面の内箱１１に向けて冷気が吐出されるように構成されている。これにより、上段収納容器７１（図２参照）の外側および下段収納容器７２（図２参照）の外側を冷気が通るように（食品を間接的に冷却するように）なっている。
【００３４】
また、背面断熱仕切部材６５には、吐出口７３ａ，７３ｂ，７３ｃから吐出された冷気を冷却器８０Ａ（図２参照）に戻す戻り口７３ｄが形成されている。この戻り口７３ｄは、吐出口７３ａを挟んで吐出口７３ｃとは反対側（図３の右側方）に形成されている。
【００３５】
また、製氷室４０および冷凍室５０には、冷気が製氷容器（不図示）内および冷凍容器（不図示）内にそれぞれ直接に供給される吐出口４０ａ，５０ａが形成されている。また、冷凍室５０の背面には、吐出口４０ａ，５０ａから吐出された冷気が戻る戻り口４１ａが形成されている。
【００３６】
図４は、冷気風路を背面から見たときの図である。なお、図４は、内箱１１を取り除いて背面から見た状態を概略的に示している。
図４に示すように、冷却器８０Ａの上方には、送風ファン９０が設けられている。送風ファン９０は、ターボファンやシロッコファンなどの遠心ファンによって構成されている。
【００３７】
また、冷却器収納空間１００の上方には、送風ファン９０を収納するファンケーシング１１１が設けられている。このファンケーシング１１１には、送風ファン９０と対向する位置に円形の開口１１１ｓが形成されている。送風ファン９０によって開口１１１ｓを介して冷気が吸い込まれ、周方向から冷気がファンケーシング１１１内に吐出される。
【００３８】
ファンケーシング１１１には、ダンパ部材１２０，１３０，１４０が取り付けられている。ダンパ部材１２０は、上段切替室６０に冷気を供給するものであり、送風ファン９０より上側に設けられている。ダンパ部材１３０は、下段切替室７０に冷気を供給するものであり、送風ファン９０よりも下側かつ冷却器８０Ａの左側方（図４の右側方）に設けられている。ダンパ部材１４０は、ダンパ部１４１，１４２を備え、送風ファン９０の左側方（図４の右側方）に設けられている。
【００３９】
図３に戻って、ケース部材１１２は、ダンパ部材１２０（図２参照）の前方を覆うように配置され、背面断熱仕切部材６５から前方に突出して形成されている。ケース部材１１３は、ダンパ部１４１（図４参照）の前方を覆うように配置され、背面断熱仕切部材６５から前方に突出して形成されている。
【００４０】
ケース部材１１４は、ダンパ部材１３０（図４参照）の前方を覆うように設けられ、背面断熱仕切部材６５から前方に突出して形成されている。ケース部材１１５は、ダンパ部１４２から延びる流路１１６と連通し、背面断熱仕切部材６５から前方に突出して形成されている。
【００４１】
図４に示すように、冷却器収納空間１００は、前記戻り口４１ａから出る冷気を戻り口７３ｄから出る冷気に合流させる戻り流路４１ｂが形成されている。この戻り流路４１ｂは、背面断熱仕切部材６５の右側方（図４の左側方）において鉛直方向に流れるように構成されている。
【００４２】
吐出口６３ａ，６３ｂ（図３参照）から吐出された冷気は、戻り口６３ｄから冷却器８０Ａの下方に流れ、冷却器８０Ａ内を上昇した後に送風ファン９０に再び吸い込まれる。また、吐出口６３ｃ（図３参照）から吐出された冷気も、同様にして、戻り口６３ｄから冷却器８０Ａを通った後に送風ファン９０に再び吸い込まれる。
【００４３】
また、吐出口７３ａ，７３ｂ（図３参照）から吐出された冷気は、戻り口７３ｄから冷却器８０Ａの下方に戻り、冷却器８０Ａ内を上昇した後に送風ファン９０に再び吸い込まれる。また、吐出口７３ｃ（図３参照）から吐出された冷気も、同様にして、戻り口７３ｄに戻り、冷却器８０Ａを通った後に送風ファン９０に再び吸い込まれる。
【００４４】
なお、製氷室４０および冷凍室５０を冷却した後の冷気は、戻り口４１ａから戻り流路４１ｂを通って、戻り口７３ｄからの戻り流路と同様の流路を通って、冷却器８０Ａに戻る。
【００４５】
図５は、ファンケーシングを示す概略図である。
図５に示すように、ファンケーシング１１１は、ダンパ部材１２０に向けて冷気を案内する流路１１１ａ、ダンパ部材１３０に冷気を案内する流路１１１ｂと、を備えている。また、ファンケーシング１１１は、ダンパ部材１４０のダンパ部１４１に向けて冷気を案内する流路１１１ｃと、ダンパ部材１４０のダンパ部１４２に冷気を案内する流路１１１ｄと、を備えている。
【００４６】
流路１１１ａの端部には、不図示のシール材を介してダンパ部材１２０が嵌め込まれている。流路１１１ｂの端部には不図示のシール材を介してダンパ部材１３０が嵌め込まれている。流路１１１ｃの端部には、不図示のシール材を介してダンパ部１４１が嵌め込まれている。流路１１１ｄの端部には、不図示のシール材を介してダンパ部１４２が嵌め込まれている。
【００４７】
図６は、図４のＡ−Ａ線断面図である。なお、図６では、外箱１２、内箱１１と外箱１２との間の断熱材、各扉４，６，７、各収納容器６１，６２，７１，７２の図示を省略している。
図６に示すように、冷蔵庫本体１０は、製氷室４０および冷凍室５０（図３参照）と、上段切替室６０とを断熱する断熱仕切部材１６を備えている。また、冷蔵庫本体１０は、上段切替室６０と下段切替室７０とを断熱する断熱仕切部材１７を備えている。また、冷蔵庫本体１０は、上段切替室６０と、送風ファン９０および冷却器８０Ａとを断熱する背面断熱仕切部材６５を備えている。
【００４８】
送風ファン９０は、ブラケット９２を介して背面断熱仕切部材６５に固定されている。なお、送風ファン９０の取付手段は、背面断熱仕切部材６５に固定する手段に限定されるものではなく、ファンケーシング１１１の冷気吸込み側にブラケットを設けて固定するようにしてもよい。
【００４９】
断熱仕切部材１６，１７は、いずれも真空断熱材Ｖ９，Ｖ１０を含んで構成されている。背面断熱仕切部材６５は、真空断熱材Ｖ１１を含んで構成されている。
【００５０】
また、冷蔵庫本体１０は、前記したように、上段切替室６０の左右側面に、真空断熱材Ｖ７，Ｖ８（図３参照）が設けられている。上段切替室６０を開閉する上段切替室扉６にも、前記したように真空断熱材Ｖ５（図２参照）が設けられている。このように、上段切替室６０は、前後、左右および上下の６面が真空断熱材Ｖ５，Ｖ７，Ｖ８，Ｖ９，Ｖ１０，Ｖ１１によって囲まれている。これにより、製氷室４０および冷凍室５０が冷凍温度帯に設定され、背面に冷却器８０Ａが配置されている場合において、上段切替室６０が冷蔵温度帯に設定されたときのような条件が厳しい場合であっても、上段切替室６０を冷蔵温度帯に設定することが可能になる。
【００５１】
また、冷蔵庫本体１０は、上段切替室６０において、底面を構成する断熱仕切部材１７の奥側に、冷却器８０Ａへの戻り口６３ｄに連通する開口部６３ｅが形成されている。この開口部６３ｅは、左右方向に沿って細長く形成されている。
【００５２】
また、冷蔵庫本体１０は、上段切替室６０の左側面に、上段収納容器６１（図２参照）を前後方向にスライド自在に支持するレール部材１１ａが形成されている。上段切替室扉６（図２参照）には、下段収納容器６２（図２参照）を保持するスライド部材（不図示）が設けられ、このスライド部材が上段切替室６０に設けられたレール部材１１ｂにスライド自在に支持されている。なお、上段切替室６０の右側面にも同様な構成のレール部材が設けられている。
【００５３】
また、冷蔵庫本体１０は、下段切替室７０の左側面に、上段収納容器７１（図２参照）を前後方向にスライド自在に支持するレール部材１１ｃが形成されている。下段切替室扉７（図２参照）には、下段収納容器７２（図２参照）を保持するスライド部材（不図示）が設けられ、このスライド部材が下段切替室７０に設けられたレール部材１１ｄにスライド自在に支持されている。なお、下段切替室７０の右側面にも同様な構成のレール部材が設けられている。
【００５４】
図７は、上段切替室を冷凍温度帯に冷却するダンパ部材を示す斜視図、図８は、下段切替室を冷凍温度帯に冷却するダンパ部材を示す斜視図、図９は、上段切替室および下段切替室を冷蔵温度帯に冷却するダンパ部材を示す斜視図、図１０は、図９の裏側を示す平面図である。
図７に示すように、ダンパ部材１２０（冷凍温度帯用ダンパ）は、フラッパ１２１（羽根部材）を開閉自在に支持するフラッパ支持部１２２と、フラッパ１２１に回転駆動力を与える駆動部１２３と、を備える。なお、駆動部１２３は、モータとギアを含む公知の技術によって、フラッパ１２１を開閉するようになっている。
【００５５】
フラッパ支持部１２２は、横方向（幅方向）に細長く形成された弁箱１２２ａと、この弁箱１２２ａの前面に形成される矩形状の開口１２２ｂと、を有している。開口１２２ｂには、この開口１２２ｂから奥側に向けて延びる環状の弁座部１２２ｃが形成されている。
【００５６】
フラッパ１２１の前側の全面には、シート状のシール材１２１ａが貼り付けられている。フラッパ１２１の前面の周縁部が弁座部１２２ｃに当接することで、開口１２２ｂから冷気が漏れ出ないようになっている。
【００５７】
図８に示すように、ダンパ部材１３０（冷凍温度帯用ダンパ）は、フラッパ１３１（羽根部材）を開閉自在に支持するフラッパ支持部１３２と、フラッパ１３１に回転駆動力を与える駆動部１３３と、を備えている。
【００５８】
フラッパ支持部１３２は、略正方形状に形成された弁箱１３２ａと、この弁箱１３２ａの前面に形成される正方形状の開口１３２ｂと、を有している。開口１３２ｂには、この開口１３２ｂから奥側に向けて延びる環状の弁座部１３２ｃが形成されている。
【００５９】
フラッパ１３１の前側の全面には、シート状のシール材１３１ａが貼り付けられている。フラッパ１３１の前面の周縁部が弁座部１３２ｃに当接することで、開口１３２ｂから冷気が漏れ出ないようになっている。
【００６０】
図９に示すように、ダンパ部材１４０は、ダンパ部１４１とダンパ部１４２との間に駆動部１４３を有している。ダンパ部１４１，１４２は、ダンパ部材１２０，１３０と同様に、フラッパ１４１ａ，１４２ａ、フラッパ支持部１４１ｂ，１４２ｂを備えている。フラッパ支持部１４１ｂ，１４２ｂは、弁箱１４１ｃ，１４２ｃ、開口部１４１ｄ，１４２ｄ、弁座部１４１ｅ，１４２ｅを備えている。また、フラッパ１４１ａ，１４２ａの前側の全面には、シール材１４１ｆ，１４２ｆが貼り付けられている。
【００６１】
駆動部１４３は、単一のモータを備え、公知の技術によってダンパ部１４１のフラッパ１４１ａとダンパ部１４２のフラッパ１４２ａとを独立して開閉動作できるようになっている。つまり、ダンパ部材１４０は、ダンパ部１４１，１４２の双方を閉じ、またダンパ部１４１，１４２の双方を開くことができるように構成されている。また、ダンパ部材１４０は、ダンパ部１４１を開きかつダンパ部１４２を閉じ、またダンパ部１４１を閉じかつダンパ部１４２を開くことができるように構成されている。このように、ダンパ部１４１とダンパ部１４２とをまとめてダンパ部材１４０にすることで、製造コストを低減できる。なお、本実施形態では、ダンパ部１４１，１４２を一体にした場合を例に挙げて説明したが、ダンパ部１４１，１４２を別々に構成してもよい。
【００６２】
図１０に示すように、ダンパ部材１４０のダンパ部１４１，１４２の裏側は、フラッパ１４１ａ，１４２ａの周囲が裏側に向けて開放した形状になっている。すなわち、フラッパ支持部１４１ｂ，１４２ｂは、後方に向けて開放した形状の弁箱１４１ｃ，１４２ｃを有している。この弁箱１４１ｃ，１４２ｃと弁座部１４１ｅ，１４２ｅ（図９参照）との間に溝状の隙間が形成され、換言するとフラッパ１４１ａ，１４２ａの周囲に隙間Ｓ１，Ｓ２が形成されている。
【００６３】
なお、ダンパ部材１２０，１３０についても、ダンパ部材１４０と同様にして、裏側に向けて開放するとともにフラッパ１２１，１３１の周囲に隙間が形成された形状を有している。
【００６４】
また、フラッパ１４１ａは、回動軸１４１ｇを有し、弁箱１４１ｃの内側において回動自在に支持されている。また、フラッパ１４２ａは、回動軸１４２ｇを有し、弁箱１４２ｃの内側において回動自在に支持されている。回動軸１４１ｇと回動軸１４２ｇは、軸方向が互いに平行に配置されるとともに、軸方向において互いに重ならない位置に形成されている。また、フラッパ１４１ａ，１４２ａは、軸方向に直交する向きに互いに逆向きに開くように構成されている。
【００６５】
また、駆動部１４３のケースの裏側には、制御用の雌コネクタ部１４３ａが設けられている。この雌コネクタ部１４３ａは、ダンパ部１４２側に向けて端子部１４３ｂが延びて形成され、雄コネクタ（不図示）が鉛直方向の下方から雌コネクタ部１４３ａに挿入されることで電気的な接続が行われる。また、ダンパ部材１４０は、ファンケーシング１１１（図４参照）に鉛直方向の上側にダンパ部１４１、下側にダンパ部１４２が位置するように配置され、雌コネクタ部１４３ａが下向きに配置される。よって、例えばダンパ部材１４０に発生した霜が溶けたときのドレン水が駆動部１４３のケース上を流れ落ちたとしても、端子部１４３ｂがドレン水に曝されるのを防止できる。
【００６６】
図１１は、ダンパ部材の配置を示す断面図である。
ダンパ部材１２０は、図１１（ａ）に示す配置において、フラッパ支持部１２２の弁箱１２２ａの下部の内壁面に水Ｗが溜り易くなる。このような位置で水Ｗが凍結すると、フラッパ１２１が氷に引っ掛かって開かなくなる虞がある。そこで、図１１（ｂ）に示すように、ダンパ部材１２０を、弁箱１２２ａが後側に向けて下るように傾斜させることで、フラッパ支持部１２２の裏側に水Ｗが溜るのを防止できる。なお、ダンパ部材１３０，１４０についても同様に傾斜して配置される。
【００６７】
また、ダンパ部材１２０を図１１（ｂ）に示す配置にした場合、弁座部１２２ｃとフラッパ１２１によって形成される凹部に水が溜ることになる。しかし、ダンパ部材１２０には後記するヒータＨ６（図１９参照）が設けられるので、フラッパ１２１が開くことで水が後側に流れることになる。
【００６８】
また、ダンパ部材１２０の樹脂材料を、撥水性を有する樹脂または親水性を有する樹脂で構成するようにしてもよい。
【００６９】
図１２は、本実施形態に係る冷蔵庫の冷気の流れを説明する模式図である。
図１２に示すように、冷蔵庫１の冷蔵室３０では、冷蔵室３０専用に設けられた冷却器８０Ｂで生成された冷気が送風ファン９１に吸い込まれ、冷蔵室３０内の背面に設けられた複数の吐出口（不図示）から吐出される。食品を冷却した後の冷気は、冷蔵室３０の下部に設けられた戻り口（不図示）から冷却器８０Ｂに戻る。
【００７０】
冷蔵庫１の製氷室４０および冷凍室５０では、冷却器８０Ａによって生成された冷気が送風ファン９０によって製氷室４０に設けられた吐出口４０ａ（図３参照）および冷凍室５０に設けられた吐出口５０ａ（図３参照）から吐出される。そして、食品を冷却した後の空気は、冷凍室５０の背面側に設けられた戻り口４１ａに吸い込まれ、戻り流路４１ｂを通って、冷却器８０Ａに戻る。このように、製氷室４０および冷凍室５０では、冷却器８０Ａで生成された冷気が常時送られるようになっている。
【００７１】
上段切替室６０が冷凍温度帯に設定された場合には、ダンパ部材１２０が開かれる。この場合、冷却器８０Ａによって生成された冷気がダンパ部材１２０を通過する。そして、冷気が上段切替室６０に設けられた吐出口６３ａから上段収納容器６１内の食品に直接に供給されるとともに、吐出口６３ｂから下段収納容器６２内の食品に直接に供給される。
【００７２】
また、上段切替室６０が冷蔵温度帯に設定された場合には、ダンパ部材１４０のダンパ部１４１が開かれる。この場合、冷却器８０Ａによって生成された冷気がダンパ部１４１を通過する。そして、上段切替室６０に設けられた吐出口６３ｃから上段収納容器６１の外側および下段収納容器６２の外側に冷気が流れることで食品が間接的に冷却される。これにより、上段収納容器６１および下段収納容器６２内の食品の乾燥を抑制できる。
【００７３】
下段切替室７０が冷凍温度帯に設定された場合には、冷却器８０Ａによって生成された冷気がダンパ部材１３０を通過する。そして、下段切替室７０に設けられた吐出口７３ａから上段収納容器７１内の食品に直接に供給されるとともに、吐出口７３ｂから下段収納容器７２内の食品に直接に供給される。
【００７４】
また、下段切替室７０が冷蔵温度帯に設定された場合には、ダンパ部材１４０のダンパ部１４２が開かれる。この場合、冷却器８０Ａによって生成された冷気がダンパ部１４２および流路１１６（図４参照）を通過する。そして、下段切替室７０に設けられた吐出口７３ｃから上段収納容器７１の外側および下段収納容器７２の外側に冷気が流れることで食品が間接的に冷却される。これにより、上段収納容器７１および下段収納容器７２内の食品の乾燥を抑制できる。
【００７５】
このように、第１実施形態の冷蔵庫１では、上段切替室６０を冷蔵温度帯かつ下段切替室７０を冷凍温度帯に設定することができる。また、冷蔵庫１では、上段切替室６０を冷凍温度帯かつ下段切替室７０を冷蔵温度帯に設定することができる。また、冷蔵庫１では、上段切替室６０と下段切替室７０の双方を冷凍温度帯に設定することができる。また、冷蔵庫１では、上段切替室６０と下段切替室７０の双方を冷蔵温度帯に設定することができる。
【００７６】
図１３（ａ）は、第１実施形態の送風ファンとして遠心ファンを備えた冷蔵庫を示す断面図、図１３（ｂ）は比較例の送風ファンとしてプロペラファンを備えた冷蔵庫を示す断面図である。
図１３（ａ）に示すように、冷蔵庫１は、送風ファン９０として遠心ファン（ターボファンやシロッコファン）を備え、送風ファン９０が背面断熱仕切部材６５の後方に配置されている。このような送風ファン９０は、径方向の中心側から冷気を吸込み、周方向に冷気が吐出されるので、送風ファン９０の軸方向前方の空間を狭くでき、軸方向の後方（吸込側）の空間を確保するだけでよい。よって、第１実施形態では、上段切替室６０の背面側に設けられる冷却器収納空間１００の前後方向の寸法Ｄ１を小さくできる。
【００７７】
これに対して、図１３（ｂ）に比較例として示す冷蔵庫２００は、送風ファン２０１としてプロペラファンを備え、送風ファン２０１が背面断熱仕切部材２０２の後方に配置されている。このような場合、送風ファン２０１が傾斜して配置され、後方と前方にそれぞれ吸込空間と吐出空間が必要になる。よって、上段切替室２０３の背面側に設けられる冷却流路の空間の前後方向の寸法Ｄ１００（＞Ｄ１）を大きく確保する必要がある。
【００７８】
このように、第１実施形態では、送風ファン９０とした場合の上段切替室６０の容積Ｑ１を、比較例として送風ファン２０１とした場合の上段切替室２０３の容積Ｑ１００よりも大きく確保できる。これにより、上段切替室６０の食品の収納量を増加させることが可能になる。
【００７９】
また、冷蔵室３０用の冷却器８０Ｂと、冷蔵室３０より下側の冷却器８０Ａと、を分けることにより、冷却器８０Ａを小型（例えば、７段→５段）にすることができる。これにより、冷却器収納空間１００の上下方向の寸法をコンパクトにできる。このため、製氷室４０内および冷凍室５０内の背面における前方への出っ張りの容積を削減することができ、製氷室４０および冷凍室５０内の容積を拡大することができる。
【００８０】
また、冷却器８０Ａの上方投影上に送風ファン９０が設けられるとともに、送風ファン９０の上方投影上にダンパ部材１２０（図６参照）の少なくとも一部が存する。更に、送風ファン９０の軸方向とダンパ部材１２０の開口１２２ｂの前後方向とが略平行に設けられている。従って、送風ファン９０から遠心方向に送風された冷気は、ダンパ部材１２０の開放状態のフラッパ１２１と接触し、開口１２２ｂの手前側に位置する上段切替室６０に送風される。また、送風ファン９０の支持部９２ｂ若しくは支持部９２ｂと対向する保持パネル６７の面（図２０参照）と、ダンパ部材１２０の開口１２２ｂが設けられた前面部と、真空断熱材Ｖ１１若しくは真空断熱材Ｖ１１の背面部と対向する保持パネル６７と、は略平行に配置されている。これらにより、冷却器収納空間１００及び送風ファン９０からの送風を案内する送風路の前後方向の寸法をコンパクトにでき、上段切替室６０の容積を大きく確保できる。
【００８１】
図１４は、断熱仕切部材を示す分解斜視図である。
図１４に示すように、断熱仕切部材１６は、下ケース１６１および上ケース１６２からなる合成樹脂製のケース１６０と、断熱材としての発泡ポリスチレン（いわゆる発泡スチロール）１６３と、他の断熱材としての真空断熱材Ｖ９と、を備えて構成されている。なお、断熱仕切部材１７は、断熱仕切部材１６と同様な構成であるので、以下では、断熱仕切部材１６についてのみ説明する。
【００８２】
下ケース１６１は、矩形状に形成され、外周縁部が立ち上がる側面部１６１ａを有している。この側面部１６１ａは、４辺の全体に形成されている。また、下ケース１６１は、側面部１６１ａの外面の対向する辺に、係止爪１６１ｂ，１６１ｂが形成されている。
【００８３】
上ケース１６２は、矩形状に形成され、外周縁部が下ケース１６１に向けて延びる側面部１６２ａを有している。この側面部１６２ａは、４辺の全体に形成されている。また、上ケース１６２は、側面部１６２ａの外面の対向する辺に、前記係止爪１６１ｂが係合する係止孔１６２ｂが形成されている。
【００８４】
発泡ポリスチレン１６３は、下ケース１６１に嵌合する矩形状を呈している。また、発泡ポリスチレン１６３の厚みは、側面部１６１ａの高さよりも低く形成されている。
【００８５】
真空断熱材Ｖ９は、前記した真空断熱材Ｖ１〜Ｖ８のものと同様に構成されたものであり、下ケース１６１に収容される矩形状に形成されている。また、真空断熱材Ｖ９は、下ケース１６１に発泡ポリスチレン１６３と一緒に収容したときに、真空断熱材Ｖ９の表面が側面部１６１ａの上端に位置する厚みに設定されている。
【００８６】
また、真空断熱材Ｖ９の側面にはシール材１６４が貼り付けられている。このシール材１６４は、真空断熱材Ｖ９の外周面の全体に形成されている。このシール材１６４を設けることで、下ケース１６１と真空断熱材Ｖ９の外周面との隙間を埋めることができ、真空断熱材Ｖ９が下ケース１６１内で移動して損傷するのを防止できる。
【００８７】
このような断熱仕切部材１６では、下ケース１６１に発泡ポリスチレン１６３と真空断熱材Ｖ９を収納した後に、上ケース１６２を被せる。この場合、上ケース１６２の側面部１６２ａが下ケース１６１の側面部１６１ａの外側に位置している。このため、上ケース１６２を下ケース１６１に被せる際に、側面部１６２ａが真空断熱材Ｖ９に接触することがないので、真空断熱材Ｖ９が損傷するのを防止できる。
【００８８】
また、上ケース１６２の内面には、両面テープ１６２ｃが設けられている。両面テープ１６２ｃによって上ケース１６２と真空断熱材Ｖ９とを接着することで、上ケース１６２が下ケース１６１から剥がれるのを防止できる。また、両面テープ１６２ｃによって上ケース１６２と真空断熱材Ｖ９との間に隙間（空間）が形成されるのを抑制することができ、隙間内に霜や露が発生するのを抑制できる。
【００８９】
なお、本実施形態では、下ケース１６１と上ケース１６２とを、係止爪１６１ｂを係止孔１６２ｂに嵌合させることで固定する場合を例に挙げて説明している。しかし、このような構成に限定されるものではなく、下ケース１６１と上ケース１６２とをねじ固定してもよい。
【００９０】
図１５は、断熱仕切部材の取付状態を示す断面図である。
図１５に示すように、断熱仕切部材１６を取り付ける場合には、断熱仕切部材１６の上側に製氷室４０と冷凍室５０とを左右に区画する仕切壁１８が設けられている。このため、断熱仕切部材１６を、上側から取り付けることができず、仕切壁１８の下側から取り付けることになる。
【００９１】
また、内箱１１の左右側面には、内箱１１と一体のリブ１１ｅが突出して形成されるとともに、内側（裏側）に硬質ウレタンフォームが充填され、断熱性が確保されている。このリブ１１ｅの下側から断熱仕切部材１６の端部上面を押し当てて位置決めし、断熱仕切部材１６の端部下面に対して下側から別部材で形成された固定部材１１ｆを押し当てる。そして、断熱仕切部材１６をリブ１１ｅと固定部材１１ｆとで挟み込んだ状態で、固定部材１１ｆを内箱１１に固定する。
【００９２】
ところで、真空断熱材Ｖ９は、製造上、外形寸法にバラツキが生じ易く、最大の真空断熱材と最小の真空断熱材とで差が開く。このような差の大きさによっては、断熱ができなくなり、またその場合に切替室（冷蔵温度帯室にした場合）の端部に霜が発生する虞がある。そこで、真空断熱材Ｖ９が最小寸法になる位置（外周端部Ｐ１）よりも、リブ１１ｅのウレタン（硬質ウレタンフォーム）の先端部Ｐ２が左右方向（幅方向）の内側（内方）に位置している。換言すると、真空断熱材Ｖ９の端部と、ウレタンが充填されたリブ１１ｅとが、上下方向において重なるように配置されている。このような配置にすることにより、左端では上段切替室６０と製氷室４０との間において、また右端では上段切替室６０と冷凍室５０との間において、断熱がされないリスクを抑えることができる。
【００９３】
また、上段切替室６０と下段切替室７０とを仕切る断熱仕切部材１７を取り付ける場合には、断熱仕切部材１７の上側には上段切替室６０のみである。このため、断熱仕切部材１６とは逆に、断熱仕切部材１７を上側から取り付けることができる。断熱仕切部材１７は、内箱１１の左右側面に形成されたリブ１１ｇに固定される。
【００９４】
断熱仕切部材１７についても同様に、真空断熱材Ｖ１０（図２参照）の最小寸法になる位置（外周端部Ｐ１）よりも、リブ１１ｇのウレタン（硬質ウレタンフォーム）の先端部Ｐ２が左右方向（幅方向）の内側（内方）に位置している。換言すると、真空断熱材Ｖ１０の端部と、ウレタンが充填されたリブ１１ｇとが、上下方向において重なるように配置されている。このような配置にすることにより、上段切替室６０と下段切替室７０との間において、断熱がされないリスクを抑えることができる。
【００９５】
また、断熱仕切部材１６及び断熱仕切部材１７の左右端部の少なくとも一方と内箱１１との間には隙間（図示せず）が設けられている。内箱１１と外箱１２との間には発泡断熱材が充填されており、製造上、発泡する工程において外形寸法にバラつきが生じやすく、例えば、内箱１１が庫内側に膨らむように変形する場合がある。これに対し、断熱仕切部材１６及び断熱仕切部材１７は、その内部に発泡断熱材を充填しておらず、製造上の外形寸法のバラつきは生じにくい。従って、内箱１１の所定の場所に断熱仕切部材１６及び断熱仕切部材１７を組み立て性を考慮し、内箱１１内部の発泡断熱材の発泡後に生じる寸法公差を吸収するための隙間を設けることが望ましい。このとき、隙間の少なくとも一部に弾性を有するシール材（図示なし）を介在させてもよく、隙間が該シール材により埋められることでヒートブリッジの影響を抑制できる。
【００９６】
図１６は、仕切断熱壁の変形例を示す断面図である。なお、図１５に示す断熱仕切部材１６，１７と同様の構成については同一の符号を付して重複する説明を省略する。
図１６に示すように、断熱仕切部材１６，１７は、真空断熱材Ｖ９，Ｖ１０の下部に設けられる発泡ポリスチレン（発泡スチロール）１６３ａと、真空断熱材Ｖ９，Ｖ１０の上部に設けられる発泡ポリスチレン（発泡スチロール）１６３ｂと、を備えている。このように、真空断熱材Ｖ９，Ｖ１０の周囲全体を発泡ポリスチレン１６３ａ，１６３ｂで覆うように構成されている。このような構成によって、真空断熱材Ｖ９，Ｖ１０の全体が覆われるので、真空断熱材Ｖ９，Ｖ１０の損傷をより確実に抑えることができるとともに、前記した実施形態で用いたシール材１６４を不要にできる。また、断熱仕切部材１６，１７の左右端部についても、図１５と同様な配置とすることで、断熱されないリスクを抑えることができる。
【００９７】
図１７は、背面断熱仕切部材を示す断面図である。
図１７に示すように、背面断熱仕切部材６５は、真空断熱材Ｖ１１と、この真空断熱材Ｖ１１を収容する収容パネル６６と、収容パネル６６を保持する保持パネル６７と、を有して構成されている。なお、本実施形態では、収容パネル６６と保持パネル６７とでケースが構成されている。
【００９８】
収容パネル６６は、真空断熱材Ｖ１１の一面が接する底面６６ａと、この底面６６ａから立ち上がる側面６６ｂと、を有している。側面６６ｂの外面には、係止爪６６ｃが突出して形成されている。また、真空断熱材Ｖ１１の外周面には、シール材６６ｄが設けられている。これにより、真空断熱材Ｖ１１の外周面と側面６６ｂとの間の隙間が埋められ、真空断熱材Ｖ１１が収容パネル６６内で移動して、真空断熱材Ｖ１１が損傷するのを防止できる。
【００９９】
保持パネル６７は、上段切替室６０と冷却器収納空間１００とを区画する仕切板６７ａと、収容パネル６６の上部を保持する上部保持部６７ｂと、収容パネル６６の下部を保持する下部保持部６７ｃと、を有している。上部保持部６７ｂは、凹面が下方に向けて開放するように凹状に形成されている。下部保持部６７ｃには、前記した係止爪６６ｃが係止される係止孔６７ｄが形成されている。
【０１００】
真空断熱材Ｖ１１が収容された収容パネル６６を取り付ける場合には、真空断熱材Ｖ１１を露出した面を保持パネル６７側に向けた状態で取り付ける。この場合、収容パネル６６の上部を上部保持部６７ｂに先に挿入し、上部を支点として収容パネル６６を仕切板６７ａに向けて回動させる。そして、収容パネル６６を仕切板６７ａに押し当てることで、収容パネル６６の係止爪６６ｃが係止孔６７ｄに嵌合し、収容パネル６６が保持パネル６７に保持される。このように、収容パネル６６の上部を上部保持部６７ｂによって覆うように構成することで、収容パネル６６の上部から水が垂れてきたとしても、収容パネル６６内に水が入るのを防止できる。また、収容パネル６６を保持パネル６７に取り付けたときに、下部保持部６７ｃが側面６６ｂの外側に位置するので、真空断熱材Ｖ１１が損傷するのを防止できる。
【０１０１】
ところで、上段切替室６０を冷蔵温度帯にし、かつ、下段切替室７０を冷凍温度帯にした場合、上段切替室６０の上側、下側および奥側がすべて冷凍温度帯になるので、上段切替室６０を冷蔵温度帯に維持することが厳しくなる。そこで、本実施形態では、上段切替室６０および下段切替室７０にヒータを配置したものである。以下、図１８ないし図２１を参照して詳細に説明する。図１８は、上段切替室と下段切替室のヒータの配置を示す断面図である。図１９は、背面側のヒータの配置を示す平面図である。図２０は、送風ファンおよびファンケーシングに設けられるヒータの配置を示す断面図である。図２１は、送風ファンに設けられるヒータの配置の変形例を示す断面図である。
【０１０２】
図１８に示すように、冷蔵庫本体１０は、ヒータＨ１，Ｈ２，Ｈ３，Ｈ４，Ｈ５を備えている。これらのヒータＨ１〜Ｈ５は、面ヒータで構成され、温度を上げるため、または露付きを防止するめのものである。なお、本実施形態で示すヒータの配置や数は一例であって、上段切替室６０や下段切替室７０の熱収支に応じて適宜設定される。
【０１０３】
ヒータＨ１は、上段切替室６０の上面を構成する断熱仕切部材１６の下面に設けられている。ヒータＨ２は、上段切替室６０の下面を構成する断熱仕切部材１７の上面に設けられている。ヒータＨ３は、上段切替室６０の背面を構成する背面断熱仕切部材６５の前面に設けられている。ヒータＨ４は、下段切替室７０の上面を構成する断熱仕切部材１７の下面に設けられている。ヒータＨ５は、下段切替室７０の底面を構成する内箱１１のウレタン側面に設けられている。
【０１０４】
例えば、上段切替室６０を冷蔵温度帯に設定し、下段切替室７０を冷凍温度帯に設定する場合、上段切替室６０の手前側（扉側）と左右側面側から熱の流入が想定され、上段切替室６０の上面、下面および背面から熱の流出が想定される。そこで、上段切替室６０が冷蔵温度帯の熱収支となるように、ヒータＨ１，Ｈ２，Ｈ３を通電して、上段切替室６０を加温する。
【０１０５】
また、上段切替室６０を冷凍温度帯に設定し、下段切替室７０を冷蔵温度帯に設定する場合、上段切替室６０の手前側（扉側）と左右側面側と底面側から熱の流入が想定され、下段切替室７０の上面側と背面側から熱の流出が想定される。そこで、下段切替室７０が冷蔵温度帯の熱収支となるように、ヒータＨ４，Ｈ５を通電して、下段切替室７０を加温する。
【０１０６】
図１９において太線で示すように、背面断熱仕切部材６５には、ヒータＨ６，Ｈ７，Ｈ８，Ｈ９，Ｈ１０，Ｈ１１が設けられている。これらのヒータＨ６〜Ｈ１１は、面ヒータで構成されている。
【０１０７】
ヒータＨ６は、ダンパ部材１２０の周囲全体を囲むように設けられている。ヒータＨ７は、ダンパ部材１３０の周囲全体を囲むように設けられている。ヒータＨ８は、ダンパ部材１４０の周囲全体を囲むように設けられている。ヒータＨ６〜Ｈ８は、ダンパ部材１２０〜１４０に霜が付着して、フラッパ１２１，１３１，１４１ａ，１４２ａ（図６〜図８参照）が開かなくなるのを防止するためのものである。例えば、弁箱１２２ａ，１３２ａ，１４１ｃ，１４２ｃ（図６〜図８参照）に１周するように取り付けられる。
【０１０８】
ヒータＨ９は、ファンケーシング１１１の壁面に設けられている。これにより、ファンケーシング１１１に霜や水が溜るのを防止できる。ヒータＨ１０は、送風ファン９０の近傍に設けられている。これにより、送風ファン９０に霜が付着するのを防止できる。
【０１０９】
ヒータＨ１１は、戻り流路４１ｂの壁面と戻り口４１ａに設けられている。これにより、戻り流路４１ｂ内に霜が付着するのを防止することができる。
【０１１０】
図２０に示すように、ヒータＨ９は、ファンケーシング１１１の内壁面１１１ｔに配置され、送風ファン９０の外周に対向する壁面に沿って形成されている。
【０１１１】
送風ファン９０は、ブラケット９２を介して背面断熱仕切部材６５の仕切板６７ａに固定されている。ブラケット９２は、仕切板６７ａの後面から離れる方向に延びる脚部９２ａと、仕切板６７ａと平行に延びる支持部９２ｂと、この支持部９２ｂと送風ファン９０とを連結する連結部９２ｃと、を有して構成されている。
【０１１２】
送風ファン９０用のヒータＨ１０は、仕切板６７ａの送風ファン９０側（庫外側、ファンケーシング１１１側）に設けられている。また、ヒータＨ１０は、軸方向からの平面視において円板状または環状に構成されている。
【０１１３】
なお、図２１に示すように、ヒータＨ１０を、背面断熱仕切部材６５の仕切板６７ａの庫内側（上段切替室６０側）に設けてもよい。例えば、仕切板６７ａは、送風ファン９０に対向する位置において、送風ファン９０側に凹む窪み部６７ｅが形成され、この窪み部６７ｅにヒータＨ１０が設けられている。このように窪み部６７ｅを設けて、ヒータＨ１０を配置することにより、仕切板６７ａの前面側に設けられる収容パネル６６（図１７参照）を設置する際に邪魔になることがない。
【０１１４】
図２２は、温度帯を切り替える操作パネルを示す図である。なお、以下に示す構成は一例であって本実施形態に限定されるものではない。
図２２に示すように、コントロールパネル（操作パネル）１５０は、例えば、冷蔵室扉２の表面に設けられ、制御基板１３（図２参照）と電気的に接続されている。また、コントロールパネル１５０は、上段切替室６０（切替室（上））を冷蔵温度帯と冷凍温度帯のいずれかに切り替える切替操作ボタン１５０ａと、冷蔵温度帯か冷凍温度帯かを表示する温度帯表示部１５０ｂと、設定された温度帯の強度を表示する強度表示部１５０ｃと、を備えている。また、コントロールパネル１５０は、下段切替室７０（切替室（下））の切替についても前記と同様に構成されている。
【０１１５】
操作方法としては、例えば、切替操作ボタン１５０ａを長押し（例えば、５秒）することで、冷蔵温度帯と冷凍温度帯を切り替えることができ、切り替えられた温度帯が表示される。例えば、冷蔵温度帯に設定された場合には、温度帯表示部１５０ｂに、「冷蔵」の文字が表示されるとともに、その文字が緑色に点灯する。また、温度帯を切り替えた後に切替操作ボタン１５０ａを短押しすることで、短押し毎に強度表示部１５０ｃの「弱」、「中」、「強」が順番に点灯して、温度の調節ができる。例えば、「弱」に設定されることで５℃、「中」に設定されることで３℃、「強」に設定されることで１℃に設定される。また、冷凍温度帯に設定された場合には、温度帯表示部１５０ｂに、「冷凍」の文字が表示されるとともに、文字が青色に点灯する。このように、温度帯を切り替えるのに、ボタンを長押しさせることで、温度帯が間違って切り替えられるのを抑制できる。
【０１１６】
なお、図示していないが、上段切替室扉６と下段切替室扉７にそれぞれ緑色を発する発光部と青色を発する発光部を設けてもよい。上段切替室６０が冷蔵温度帯に設定された場合に、緑色の発光部を点灯させて、上段切替室扉６の表面を緑色に発光させる。また、冷凍温度帯に設定された場合に、青色の発光部を点灯させて、上段切替室扉６の表示を青色に発光させる。また、下段切替室扉７についても同様に構成できる。このような構成にすることで、使用者が上段切替室扉６や下段切替室扉７を開けなくても、現在の温度帯を確認できる。
【０１１７】
また、切替室の温度帯の切り替えや強度の切り替えを、同一の切替操作ボタン１５０ａの長押し及び短押しにより行うことができるため、コントロールパネルの基板構造を簡略化且つ安価にすることができる（例えば、静電容量等のスイッチ素子の個数を減らすことができる）とともに、コントロールパネルの簡略化により操作方法の煩雑化を抑制し、操作性を向上することができる。
【０１１８】
また、切替操作ボタン１５０ａ、温度帯表示部１５０ｂ、強度表示部１５０ｃは、冷蔵温度帯に設定された場合は暖色系若しくは中性色系の色で点灯させ、冷凍温度帯に設定された場合は寒色系の色で点灯させることで、使用者の視認性を向上することができる。
【０１１９】
また、温度帯を変更する操作の場合、切替操作をしただけで温度帯が切り替わるのではなく、切替操作をした後にさらに変更後の設定でよいかの決定操作を使用者に促す操作を追加してもよい。これにより、温度帯が間違って設定されるのをより確実に抑制できる。
【０１２０】
図２３は、コントロールパネルの配置の変形例を示す図である。
図２３に示すように、冷蔵庫１は、冷蔵室３０内にコントロールパネル１５０を備えている。このコントロールパネル１５０は、例えば、図２２と同様のものであり、制御基板１３（図２参照）と電気的に接続されている。なお、コントロールパネル１５０の位置は、内箱１１の左側面に限定されず、内箱１１の右側面であっても、冷蔵室扉２，３の内壁面であってもよく、適宜変更できる。
【０１２１】
このように、コントロールパネル１５０を冷蔵室３０などの庫内に設けることによって、コントロールパネル１５０が庫外に設けられる場合よりも、温度帯が間違って切り替えられるのを抑制できる。
【０１２２】
図２４は、温度帯を確認する他の手段を示す図である。
図２４に示すように、冷蔵庫本体１０は、制御基板１３に無線通信用の基板１３ａを備え、スマートフォンなどの携帯端末ＭＴと通信可能になっている。無線通信の規格としては、例えば、ＢｌｕｅＴｏｏｔｈ（登録商標）や、赤外線通信部、ＷｉＦｉ（登録商標）である。
【０１２３】
また、冷蔵庫本体１０は、上段切替室６０に庫内の温度を検出する温度センサＴ１、下段切替室７０に庫内の温度を検出する温度センサＴ２が設けられている。
【０１２４】
温度センサＴ１によって検出された温度は、制御基板１３に送られ、基板１３ａを介して、使用者の携帯端末ＭＴに送られる。携帯端末ＭＴの表示画面には、上段切替室６０の現在の温度や下段切替室７０の現在の温度などが表示される。このような構成にすることで、使用者が上段切替室扉６や下段切替室扉７を開けなくても、現在の温度や温度帯を確認できる。これにより、上段切替室扉６や下段切替室扉７を開けずに、温度帯を確認できる。
【０１２５】
なお、上段切替室６０や下段切替室７０の現在の温度を、冷蔵室扉２の表面などに表示するようにしてもよく、冷蔵室３０内（庫内）に表示するようにしてもよい。これにより、上段切替室扉６や下段切替室扉７を開けずに、温度帯を確認することができる。
【０１２６】
図２５は、温度帯を報知する手段を示す模式図である。
図２５（ａ）に示すように、上段切替室６０には、緑色（ＧＲＥＥＮ）の光を発する発光部６８ａと、青色（ＢＬＵＥ）の光を発する発光部６８ｂと、を備えている。なお、発光部６８ａ，６８ｂは、例えばＬＥＤによって構成される。発光部６８ａは、上段切替室６０が冷蔵温度帯に設定されている場合に発光する。発光部６８ｂは、上段切替室６０が冷凍温度帯に設定されている場合に発光する。
【０１２７】
下段切替室７０にも同様に、緑色（ＧＲＥＥＮ）の光を発する発光部７８ａと、青色（ＢＬＵＥ）の光を発する発光部７８ｂと、を備えている。なお、発光部７８ａ，７８ｂは、例えばＬＥＤによって構成される。発光部７８ａは、下段切替室７０が冷蔵温度帯に設定されている場合に発光する。発光部７８ｂは、下段切替室７０が冷凍温度帯に設定されている場合に発光する。
【０１２８】
例えば、上段切替室６０が冷蔵温度帯（野菜室）に設定され、下段切替室７０が冷凍温度帯（冷凍室）に設定されている場合、上段切替室扉６を開けることで発光部６８ａが発光し、庫内が緑色に照らされる。これにより使用者が緑色を認識することで、上段切替室６０が冷蔵温度帯（野菜室）であることを直ちに認識することができる。また、下段切替室扉７を開けることで発光部７８ｂが発光し、庫内が青色に照らされる。使用者が青色を認識することで、下段切替室７０が冷凍温度帯（冷凍室）であることを直ちに認識することができる。
【０１２９】
また、図２５（ｂ）に示すように、上段切替室６０が冷凍温度帯に設定され、下段切替室７０が冷蔵温度帯（野菜室）に設定されている場合、上段切替室扉６を開けることで発光部６８ｂが発光し、庫内が青色に照らされる。使用者が青色を認識することで、上段切替室６０が冷凍温度帯（冷凍室）であることを直ちに認識することができる。また、下段切替室扉７を開けることで発光部７８ａが発光し、庫内が緑色に照らされる。使用者が緑色を認識することで、下段切替室７０が冷蔵温度帯（野菜室）であることを直ちに認識することができる。
【０１３０】
以上説明したように、第１実施形態の冷蔵庫１は、冷蔵温度帯から冷凍温度帯まで切り替えられる上段切替室６０および下段切替室７０（複数の切替室）を有する。上段切替室６０および下段切替室７０は、それぞれ、冷蔵温度帯に設定された場合に間接冷却とし、冷凍温度帯に設定された場合に直接冷却としたものである。これによれば、冷蔵温度帯にした場合には間接冷却とし、冷凍温度帯にした場合には直接冷却にすることで、各温度帯に適した冷却を行うことが可能である。
【０１３１】
また、第１実施形態では、冷蔵温度帯から冷凍温度帯まで切り替えられる上段切替室６０および下段切替室７０（複数の切替室）を有する。上段切替室６０は、冷凍温度帯に設定されたときに開くダンパ部材１２０（冷凍温度帯用ダンパ）と、冷蔵温度帯に設定されたときに開くダンパ部１４１（冷蔵温度帯用ダンパ）と、を備える。また、上段切替室６０は、ダンパ部材１２０から導入された冷気を上段収納容器６１および下段収納容器６２の内側に供給する吐出口６３ａ，６３ｂ（冷凍温度帯用吐出口）を備える。また、上段切替室６０は、ダンパ部１４１（冷蔵温度帯用ダンパ）から導入された冷気を上段収納容器６１および下段収納容器６２の外側に供給する吐出口６３ｃ（冷蔵温度帯用吐出口）を備える。また、下段切替室７０は、冷凍温度帯に設定されたときに開くダンパ部材１３０（冷凍温度帯用ダンパ）と、冷蔵温度帯に設定されたときに開くダンパ部１４２（冷蔵温度帯用ダンパ）と、を備える。また、下段切替室７０は、ダンパ部材１３０から導入された冷気を上段収納容器６１および下段収納容器６２の内側に供給する吐出口７３ａ，７３ｂ（冷凍温度帯用吐出口）を備える。また、下段切替室７０は、ダンパ部１４２（冷蔵温度帯用ダンパ）から導入された冷気を上段収納容器６１および下段収納容器６２の外側に供給する吐出口６３ｃ（冷蔵温度帯用吐出口）を備える。これにより、冷蔵温度帯にした場合には間接冷却とし、冷凍温度帯にした場合には直接冷却にすることができ、各温度帯に適した冷却を行うことが可能になる。
【０１３２】
また、第１実施形態では、吐出口６３ｃ，７３ｃ（冷蔵温度帯用吐出口）は、内箱１１の壁面に向けて形成されている。これによれば、吐出口６３ｃ，７３ｃから出た冷気を上段収納容器６１，７１の外側、下段収納容器６２，７２の外側に供給し易くなる。
【０１３３】
また、第１実施形態では、ダンパ部材１２０，１３０（冷凍温度帯用ダンパ）は、背面が開放した弁箱１２２ａ，１３２ａと、弁箱１２２ａ，１３２ａの前面に形成された開口１２２ｂ，１３２ｂと、開口１２２ｂ，１３２ｂを背面側から開閉するフラッパ１２１，１３１と、を備える（図７および図８参照）。この場合、弁箱１２２ａ，１３２ａは、後方に向けて下るように傾斜して配置されている（図１１（ｂ）参照）。これによれば、フラッパ支持部１２２の裏側に水が溜るのを防止して、水の凍結によってフラッパ１２１，１３１が開かなくなるのを防止できる。
【０１３４】
また、第１実施形態では、冷蔵庫本体１０は、上方に製氷室４０および冷凍室５０（冷凍温度帯の貯蔵室）が配置された上段切替室６０と、上段切替室６０の下方に配置される下段切替室７０と、を備える（図１ないし図３参照）。これによれば、利用者の好みに応じて上段切替室６０と下段切替室７０を冷蔵温度帯または冷凍温度帯に切り替えることができ、使い勝手が向上する。
【０１３５】
また、第１実施形態では、ダンパ部材１４０（冷蔵温度帯用ダンパ）は、上段切替室６０に冷気を導入する際に開くダンパ部１４１（上段切替室用ダンパ）と、下段切替室７０に冷気を導入する際に開くダンパ部１４２（下段切替室用ダンパ）と、を備える（図９参照）。また、ダンパ部材１４０は、ダンパ部１４１とダンパ部１４２を独立して開閉する駆動部１４３と、を備える。また、ダンパ部材１４０は、駆動部１４３を挟んで上部にダンパ部１４１が位置し、下部にダンパ部１４２が位置するように配置されている。これによれば、ダンパ部材１４０を左右方向の一方に配置できるので、間接冷却用の吐出口６３ｃ，７３ｃを配置し易くなる。また、直接冷却用の吐出口６３ａ，６３ｂ，７３ａ，７３ｂを配置し易くなる。
【０１３６】
また、第１実施形態では、駆動部１４３は、外面に電気的に接続される雌コネクタ部１４３ａを備え、雌コネクタ部１４３ａは、鉛直方向下向きに形成されている（図１０参照）。これによれば、フラッパ１４１ａに付着した水が垂れて駆動部１４３に付着したとしても、雌コネクタ部１４３ａの端子部１４３ｂに水が付着するのを抑制できる。
【０１３７】
また、第１実施形態では、上段切替室６０および下段切替室７０（切替室）に冷気を導入する送風ファン９０を備え、送風ファン９０が遠心ファンである（図４参照）。これによれば、送風ファン９０が収納される空間の前後方向の寸法Ｄ１を、送風ファンをプロペラファンとしたときの寸法（Ｄ１００）に比較して短くすることができる（図１３（ａ）参照）。
【０１３８】
また、第１実施形態では、冷蔵庫本体１０が、上段切替室６０および下段切替室７０の背面側に背面断熱仕切部材６５を備える。この背面断熱仕切部材６５は、真空断熱材Ｖ１１と、真空断熱材Ｖ１１を収容する収容パネル６６および保持パネル６７と、を備える（図１７参照）。これによれば、冷却器収納空間１００からの冷気を断熱できる。
【０１３９】
また、第１実施形態では、送風ファン９０が、保持パネル６７（仕切板６７ａ）に固定されている（図２０参照）。これによれば、送風ファン９０を、保持パネル６７側とは前後方向の逆側に固定する場合よりも部品点数を減らすことができる。また、送風ファン９０を保持パネル６７側に取り付けることで内箱１１に振動が伝わるのを抑制できる。
【０１４０】
また、第１実施形態では、背面断熱仕切部材６５が、ヒータＨ３を備える（図１８参照）。これによれば、温度を上げにくい条件でも温度を上げやすくなり、また露付きを防止することができる。
【０１４１】
また、第１実施形態では、上段切替室６０（切替室）の上面側および下面側に設けられる断熱仕切部材１６，１７を備える。断熱仕切部材１６，１７は、真空断熱材Ｖ９，Ｖ１０と、真空断熱材Ｖ９，Ｖ１０を収容するケース１６０と、真空断熱材Ｖ９，Ｖ１０の周囲に設けられ、真空断熱材Ｖ９，Ｖ１０とケース１６０との隙間を埋めるシール材１６４とを、備える（図１４参照）。これによれば、真空断熱材Ｖ９，Ｖ１０がケース１６０内で移動するのを抑制できるので、真空断熱材Ｖ９，Ｖ１０の損傷を抑制できる。
【０１４２】
また、第１実施形態では、断熱仕切部材１６，１７は、ヒータＨ１，Ｈ２，Ｈ４を備える（図１８参照）。これによれば、温度を上げにくい条件でも温度を上げやすくなり、また露付きを防止することができる。
【０１４３】
また、第１実施形態では、断熱仕切部材１６，１７の端部が接するリブ１１ｅ，１１ｇを備え、リブ１１ｅ，１１ｇ内に充填される硬質発泡ウレタンの先端部Ｐ２が、真空断熱材Ｖ９，Ｖ１０の外周端部Ｐ１よりも内方に位置している（図１５参照）。これによれば、断熱仕切部材１６，１７の端部において断熱されないリスクを抑えることができる。
【０１４４】
また、第１実施形態では、上段切替室６０および下段切替室７０は、緑色光を発する発光部６８ａ，７８ａ（第１発光部）と、青色光を発する発光部６８ｂ，７８ｂ（第２発光部）と、を備える（図２５参照）。そして、冷蔵温度帯に設定された上段切替室６０および／または下段切替室７０が開かれたときに発光部６８ａ，７８ａが発光し、冷凍温度帯に設定された上段切替室６０および／または下段切替室７０が開かれたときに発光部６８ｂ，７８ｂが発光する。これによれば、視覚的に認識させることで、利用者に冷蔵温度帯であるか冷凍温度帯であるかを認識させ易くできる。
【０１４５】
また、第１実施形態では、上段切替室６０は、上下、左右および前後のそれぞれの面に真空断熱材Ｖ５，Ｖ７，Ｖ８，Ｖ９，Ｖ１０，Ｖ１１を備える（図２および図３参照）。これによれば、上段切替室６０が、製氷室４０および冷凍室５０と、冷凍温度帯の下段切替室７０とによって挟まれている場合において、上段切替室６０が冷蔵温度帯に設定されたときに、冷蔵温度帯に設定し易くなる。
【０１４６】
また、第１実施形態では、冷蔵温度帯から前記冷凍温度帯を切り替えるコントロールパネル１５０（操作パネル）を備え、コントロールパネル１５０は、庫内に設けられている（図２３参照）。これによれば、コントロールパネル１５０を庫外（例えば、冷蔵室扉２の表面）に設ける場合よりも、温度帯が間違って設定されるのをより確実に防止できる。
【０１４７】
また、第１実施形態では、ダンパ部材１３０が、ダンパ部材１２０と前後逆向きに取り付けられている（図４参照）。ダンパ部材１３０のフラッパ１３１が庫内側に開くようにすることで、逆向きに開く場合に比べて、ダンパ部材１３０が凍結によってロックするリスクを低減できる。
【０１４８】
（第２実施形態）
図２６は、第２実施形態の冷蔵庫を示す断面図である。
図２６に示すように、冷蔵庫１Ａは、切替室６０Ａと、切替室６０Ａに収納される上段収納容器６１Ａおよび下段収納容器６２Ａと、を備えている。
【０１４９】
切替室６０Ａは、冷気が吐出される吐出口６３ａ，６３ｂを備えている。吐出口６３ａは、切替室６０Ａの上端部に設けられている。吐出口６３ｂは、吐出口６３ａの下方に位置している。
【０１５０】
上段収納容器６１Ａは、矩形状の底壁６１ａと、前後方向の一端において上方に延びる側壁６１ｂと、前後方向の他端において上方に延びる側壁６１ｃと、を有している。側壁６１ｃは、側壁６１ｂよりも高さが低く、換言すると吐出口６３ａよりも低い位置となるように形成されている。なお、図示していないが、左右の側壁は、それぞれ側面を形成するように構成されている。
【０１５１】
下段収納容器６２Ａは、矩形状の底壁６２ａと、前後方向の一端において上方に延びる側壁６２ｂと、前後方向の他端において上方に延びる側壁６２ｃと、を有している。側壁６２ｃは、側壁６２ｂよりも高さが低く、換言すると吐出口６３ｂよりも低い位置となるように形成されている。なお、図示していないが、左右の側壁は、それぞれ側面を形成するように構成されている（他の実施形態についても同様）。
【０１５２】
このように構成された冷蔵庫１Ａは、図２６の左図に示すように、切替室６０Ａが冷凍温度帯に設定された場合には、上段収納容器６１Ａを、側壁６１ｃが前後方向の奥側、側壁６１ｂが前後方向の手前側（第１収納位置）となるように、切替室６０Ａに収納される。また、下段収納容器６２Ａを、側壁６２ｃが前記方向の奥側、側壁６２ｂが前後方向の手前側（第１収納位置）となるように、切替室６０Ａに収納される。これにより、吐出口６３ａから吐出された冷気が上段収納容器６１Ａの内側に供給され、直接冷却が行われる。同様に、吐出口６３ｂから吐出された冷気が下段収納容器６２Ａの内側に供給され、直接冷却が行われる。
【０１５３】
また、図２６の右図に示すように、切替室６０Ａが冷蔵温度帯に設定された場合には、上段収納容器６１Ａの前後を入れ替えて、側壁６１ｂが前後方向の奥側、側壁６１ｃが前後方向の手前側（第２収納位置）となるように、切替室６０Ａに収納される。また、下段収納容器６２Ａの前後を入れ替えて、側壁６２ｂが前後方向の奥側、側壁６２ｃが前後方向の手前側（第２収納位置）となるように、切替室６０Ａに収納される。これにより、吐出口６３ａから吐出された冷気が上段収納容器６１Ａの外側に供給され、間接冷却が行われる。同様に吐出口６３ｂから吐出された冷気が下段収納容器６２Ａの外側に供給され、間接冷却が行われる。
【０１５４】
このように、第２実施形態の冷蔵庫１Ａでは、冷凍温度帯に設定されたときに、収納容器（上段収納容器６１Ａおよび下段収納容器６２Ａ）が、吐出口６３ａ，６３ｂからの冷気を当該収納容器の内側に供給する第１収納位置と、冷蔵温度帯に設定されたときに収納容器が吐出口６３ａ，６３ｂからの冷気を当該収納容器の外側に供給する第２収納位置と、を備える。これによれば、直接冷却用の吐出口と間接冷却用の吐出口の双方を設ける必要がなくなり、冷蔵庫本体１０の構成を簡略化できる。
【０１５５】
（第３実施形態）
図２７は、第３実施形態の冷蔵庫を示す断面図である。
図２７に示すように、第３実施形態の冷蔵庫１Ｂは、第２実施形態の上段収納容器６１Ａおよび下段収納容器６２Ａを、上段収納容器６１Ｂおよび下段収納容器６２Ｂにしたものである。その他の構成は、第２実施形態と同様であるので重複する説明を省略する。
【０１５６】
上段収納容器６１Ｂは、底壁６１ａと、底壁６１ａの一端において上方に延びる側壁６１ｂと、底壁６１ａの他端において上方に延びる側壁６１ｃと、側壁６１ｃの上端において連結される可動壁６１ｄと、側壁６１ｃと可動壁６１ｄとを回動自在に連結するヒンジ６１ｅと、を有している。可動壁６１ｄは、ヒンジ６１ｅを介して、側壁６１ｃと重なるように折り畳み可能に構成されている。可動壁６１ｄが折り畳まれることで、上段収納容器６１Ｂの他端の高さが吐出口６３ａよりも低くなり、可動壁６１ｄが起き上がることで、上段収納容器６１Ｂの他端の高さが吐出口６３ａよりも高くなる。なお、下段収納容器６２Ｂも同様にして、底壁６２ａ、側壁６２ｂ，６２ｃ、可動壁６２ｄおよびヒンジ６２ｅを備えて構成されている。
【０１５７】
このように構成された冷蔵庫１Ｂは、図２７の左図に示すように、切替室６０Ａが冷凍温度帯に設定された場合には、上段収納容器６１Ｂを、側壁６１ｃが前後方向の奥側かつ可動壁６１ｄを折り畳んだ状態とし、側壁６１ｂが前後方向の手前側（第１形態）となるように、切替室６０Ａに収納される。また、下段収納容器６２Ｂを、側壁６２ｃが前記方向の奥側かつ可動壁６２ｄを折り畳んだ状態とし、側壁６２ｂが前後方向の手前側（第１形態）となるように、切替室６０Ａに収納される。これにより、吐出口６３ａから吐出された冷気が上段収納容器６１Ｂの内側に供給され、直接冷却が行われる。同様に、吐出口６３ｂから吐出された冷気が下段収納容器６２Ｂの内側に供給され、直接冷却が行われる。
【０１５８】
また、図２７の右図に示すように、切替室６０Ａが冷蔵温度帯に設定された場合には、側壁６１ｃが前後方向の奥側かつ可動壁６１ｄを起立した状態とし、側壁６１ｂが前後方向の手前側（第２形態）となるように、切替室６０Ａに収納される。また、側壁６２ｃが前後方向の奥側かつ可動壁６２ｄを起立した状態とし、側壁６２ｂが前後方向の手前側（第２形態）となるように、切替室６０Ａに収納される。これにより、吐出口６３ａから吐出された冷気が上段収納容器６１Ｂの外側に供給され、間接冷却が行われる。同様に吐出口６３ｂから吐出された冷気が下段収納容器６２Ｂの外側に供給され、間接冷却が行われる。
【０１５９】
このように、第３実施形態の冷蔵庫１Ｂでは、冷凍温度帯に設定されたときに、収納容器（上段収納容器６１Ｂおよび下段収納容器６２Ｂ）が、吐出口６３ａ，６３ｂからの冷気を当該収納容器の内側に供給する第１形態と、冷蔵温度帯に設定されたときに収納容器が吐出口６３ａ，６３ｂからの冷気を当該収納容器の外側に供給する第２形態と、を備える。これによれば、直接冷却用の吐出口と間接冷却用の吐出口の双方を設ける必要がなくなり、冷蔵庫本体１０の構成を簡略化できる。
【０１６０】
なお、第３実施形態では、折り畳み式の可動壁６１ｄを備えた上段収納容器６１Ｂと，可動壁６２ｄを備えた下段収納容器６２Ｂを備えた冷蔵庫１Ｂを例に挙げて説明したが、このような構成に限定されない。例えば、可動壁６１ｄ，６２ｄを回動可能に構成したが、可動壁６１ｄ，６２ｄを上下方向にスライド可能に支持する構成であってもよく、または、可動壁６１ｄ，６２ｄを着脱式にしてもよい。
【０１６１】
（第４実施形態）
図２８は、第４実施形態の冷蔵庫を示す断面図である。
図２８に示すように、第４実施形態の冷蔵庫１Ｃは、冷蔵温度帯から冷凍温度帯に切り替えられる上段切替室６０と下段切替室７０（複数の切替室）を備える。上段切替室６０には収納容器６４（冷凍温度帯用収納容器）が収納される。下段切替室７０には収納容器７４（冷蔵温度帯用収納容器）が収納される。また、上段切替室６０は、冷気が吐出される吐出口６３ｂを備える。下段切替室７０は、冷気が吐出される吐出口７３ｂを備える。
【０１６２】
収納容器６４は、冷凍温度帯専用の容器であり、底壁６４ａと、この底壁６４ａの前後方向の前端において上方に延びる側壁６４ｂと、後端において上方に延びる側壁６４ｃと、を有している。側壁６４ｃは、吐出口６３よりも低く形成されている。
【０１６３】
収納容器７４は、冷蔵温度帯専用の容器であり、底壁７４ａと、この底壁７４ａの前後方向の前端において上方に延びる側壁７４ｂと、後端において上方に延びる側壁７４ｃと、を有している。側壁７４ｃは、吐出口７３ｂよりも高く形成されている。
【０１６４】
このように構成された冷蔵庫１Ｃは、図２８の左図に示すように、上段切替室６０が冷凍温度帯に設定され、下段切替室７０が冷蔵温度帯に設定された場合には、収納容器６４を上段切替室６０に収納し、収納容器７４を下段切替室７０に収納する。これにより、吐出口６３ｂから吐出された冷気が収納容器６４の内側に供給され、直接冷却が行われる。また、吐出口７３ｂから吐出された冷気が収納容器７４の外側に供給され、間接冷却が行われる。
【０１６５】
また、図２８の右図に示すように、上段切替室６０が冷蔵温度帯に設定され、下段切替室７０が冷凍温度帯に設定された場合には、収納容器６４を下段切替室７０に収納し、収納容器７４を上段切替室６０に収納する。これにより、吐出口６３ｂから吐出された冷気が収納容器６４の外側に供給され、間接冷却が行われる。また、吐出口７３ｂから吐出された冷気が収納容器７４の内側に供給され、直接冷却が行われる。
【０１６６】
このように、第４実施形態の冷蔵庫１Ｃでは、冷蔵温度帯に設定されたときに吐出口７３ｂ（または吐出口６３ｂ）からの冷気を容器外側に供給する収納容器７４と、冷凍温度帯に設定されたときに吐出口６３ｂ（または吐出口７３ｂ）からの冷気を容器内側に供給する収納容器６４と、を備える。これによれば、直接冷却用の吐出口と間接冷却用の吐出口の双方を設ける必要がなくなり、冷蔵庫本体１０の構成を簡略化できる。
【０１６７】
以上、本実施形態について図面を参照しながら説明したが、本実施形態は前記の内容に何ら限定されるものではなく、様々な変形例が含まれる。例えば、一つの切替室を備え、その切替室を、冷蔵温度帯から冷凍温度帯に切り替えられるようにした冷蔵庫であってもよい。
【符号の説明】
【０１６８】
１，１Ａ，１Ｂ，１Ｃ  冷蔵庫
１０    冷蔵庫本体
１１    内箱
１１ｅ，１１ｇ  リブ
１２    外箱
１６，１７  断熱仕切部材
３０    冷蔵室
４０    製氷室（貯蔵室）
５０    冷凍室（貯蔵室）
６０    上段切替室（切替室）
６１    上段収納容器（収納容器）
６２    下段収納容器（収納容器）
６３ａ，６３ｂ  吐出口（冷凍温度帯用吐出口）
６３ｃ  吐出口（冷蔵温度帯用吐出口）
６４    収納容器（冷凍温度帯用収納容器）
６５    背面断熱仕切部材
６６    収容パネル
６７    保持パネル
６８ａ  発光部（第１発光部）
６８ｂ  発光部（第２発光部）
７０    下段切替室（切替室）
７１    上段収納容器（収納容器）
７２    下段収納容器（収納容器）
７３ａ，７３ｂ  （冷凍温度帯用吐出口）
７３ｃ  吐出口（冷蔵温度帯用吐出口）
７４    収納容器（冷蔵温度帯用収納容器）
７８ａ  発光部（第１発光部）
７８ｂ  発光部（第２発光部）
８０Ａ  冷却器
９０    送風ファン
１００  冷却器収納空間
１１１  ファンケーシング
１１１ｓ  開口
１２０  ダンパ部材（冷凍温度帯用ダンパ、上段切替室用ダンパ）
１２１  フラッパ（羽根部材）
１２１ａ  シール材
１２２  フラッパ支持部
１２２ａ  弁箱
１２２ｂ  開口
１２２ｃ  弁座部
１２３  駆動部
１３０  ダンパ部材（冷凍温度帯用ダンパ、下段切替室用ダンパ）
１４０  ダンパ部材（冷蔵温度帯用ダンパ）
１４１  ダンパ部（上段切替室用ダンパ）
１４２  ダンパ部（下段切替室用ダンパ）
１４３  駆動部
１４３ａ  雌コネクタ部
１４３ｂ  端子部
１５０  コントロールパネル（操作パネル）
１６０  ケース
１６１  下ケース
１６２  上ケース
１６４  シール材
Ｈ１〜Ｈ１１  ヒータ
Ｐ１    外周端部
Ｐ２    先端部
Ｖ１〜Ｖ１１  真空断熱材
【図１】
2020051653.tif 000003
【図２】
2020051653.tif 000004
【図３】
2020051653.tif 000005
【図４】
2020051653.tif 000006
【図５】
2020051653.tif 000007
【図６】
2020051653.tif 000008
【図７】
2020051653.tif 000009
【図８】
2020051653.tif 000010
【図９】
2020051653.tif 000011
【図１０】
2020051653.tif 000012
【図１１】
2020051653.tif 000013
【図１２】
2020051653.tif 000014
【図１３】
2020051653.tif 000015
【図１４】
2020051653.tif 000016
【図１５】
2020051653.tif 000017
【図１６】
2020051653.tif 000018
【図１７】
2020051653.tif 000019
【図１８】
2020051653.tif 000020
【図１９】
2020051653.tif 000021
【図２０】
2020051653.tif 000022
【図２１】
2020051653.tif 000023
【図２２】
2020051653.tif 000024
【図２３】
2020051653.tif 000025
【図２４】
2020051653.tif 000026
【図２５】
2020051653.tif 000027
【図２６】
2020051653.tif 000028
【図２７】
2020051653.tif 000029
【図２８】
2020051653.tif 000030